【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
第１及び第２の符号化済みピクチャを含む符号化済みピクチャを送信単位のシーケンスに順序付けを行う方法であって、
前記第１の符号化済みピクチャに基づいて少なくとも第１の送信単位を形成し、前記第２の符号化済みピクチャに基づいて少なくとも第２の送信単位を形成し、
第１の識別子が前記第１の送信単位に対して定義され、第２の識別子が前記第２の送信単位に対して定義され、
前記第１及び第２の識別子が、前記第１の送信単位に含まれる情報、及び前記第２の送信単位に含まれる情報のそれぞれの復号化順序を示す、方法。
【請求項２】
第１の指標が、前記第１の識別子に基づいて定義され、第２の指標が、前記第２の識別子に基づいて定義され、
該第１の指標が、前記第１の送信単位に含まれ、該第２の指標が、前記第２の送信単位に含まれる、請求項１に記載の方法。
【請求項３】
前記識別子を整数として定義するステップを更に含む請求項１に記載の方法。
【請求項４】
ラップアラウンドを伴う更に大きな整数で後の復号化順序を示すステップを更に含む請求項３に記載の方法。
【請求項５】
前記第１の送信単位が第１のスライスを含み、前記第２の送信単位が第２のスライスを含む、請求項１に記載の方法。
【請求項６】
第１及び第２の符号化済みピクチャを含む符号化済みピクチャを送信単位のシーケンスに順序付けを行う装置であって、
前記装置は、前記第１の符号化済みピクチャに基づく少なくとも第１の送信単位、及び前記第２の符号化済みピクチャに基づく少なくとも第２の送信単位を形成するための構成装置を備え、
前記装置は、前記第１の送信単位に対して第１の識別子、及び前記第２の送信単位に対して第２の識別子を定義するための定義装置を更に有し、
前記第１及び第２の識別子が、前記第１の送信単位に含まれる情報、及び前記第２の送信単位に含まれる情報のそれぞれの復号化順序を示す、装置。
【請求項７】
ゲートウェイ装置である請求項６に記載の装置。
【請求項８】
移動通信装置である請求項６に記載の装置。
【請求項９】
ストリーミングサーバである請求項６に記載の装置。
【請求項１０】
ピクチャを符号化し、第１及び第２の符号化済みピクチャを含む符号化済みピクチャを送信単位のシーケンスに順序付けを行うエンコーダであって、
前記エンコーダは、前記第１の符号化済みピクチャに基づいて少なくとも第１の送信単位、及び前記第２の符号化済みピクチャに基づいて少なくとも第２の送信単位を形成するための構成装置を備え、
前記エンコーダは、前記第１の送信単位に対する第１の識別子、及び前記第２の送信単位に対する第２の識別子を定義するための定義装置を更に備え、
前記第１及び第２の識別子が、前記第１の送信単位に含まれる情報、及び前記第２の送信単位に含まれる情報のそれぞれの復号化順序を示す、エンコーダ。
【請求項１１】
前記構成装置が、前記第１の送信単位に第１のスライスを、前記第２の送信単位に第２のスライスを含むように構成される、請求項１０に記載のエンコーダ。
【請求項１２】
復号化済みピクチャを形成するために符号化済みピクチャを復号化するデコーダであって、
前記符号化済みピクチャが、第１の符号化済みピクチャに基づいて形成された少なくとも第１の送信単位、及び第２の符号化済みピクチャに基づいて形成された少なくとも第２の送信単位での前記第１及び第２の符号化済みピクチャを含み、
前記デコーダは、前記第１の送信単位に対して定義された第１の識別子、及び前記第２の送信単位に対して定義された第２の識別子に基づいて、前記第１の送信単位に含まれる情報、及び前記第２の送信単位に含まれる情報の復号化順序を決定するためのプロセッサを更に備える、デコーダ。
【請求項１３】
第１及び第２の符号化済みピクチャを含む符号化済みピクチャを送信単位のシーケンスに順序付けを行う方法を実行し、前記第１の符号化済みピクチャに基づいて少なくとも第１の送信単位、及び前記第２の符号化済みピクチャに基づいて少なくとも第２の送信単位を形成する、機械で実行可能なステップを含むコンピュータプログラムであって、
前記コンピュータプログラムは、前記第１の送信単位に対する第１の識別子、及び前記第２の送信単位に対する第の識別子を定義するための機械実行可能なステップを含み、
前記第１及び第２の識別子が、前記第１の送信単位に含まれる情報、及び前記第２の送信単位に含まれる情報のそれぞれの復号化順序を示す、コンピュータプログラム。
【請求項１４】
第１の符号化済みピクチャに基づいて形成された少なくとも第１の送信単位及び第２の符号化済みピクチャに基づいて形成された少なくとも第２の送信単位を含む、コンピュータ読み出し可能な記憶媒体上で具体化された信号であって、
前記コンピュータ読み出し可能な記憶媒体上で具体化された信号が、前記第１の送信単位に対して定義された第１の識別子、及び前記第２の送信単位に対して定義された第２の識別子を更に含み、
前記第１及び第２の識別子が、前記第１の送信単位に含まれる情報、及び前記第２の送信単位に含まれる情報のそれぞれの復号化順序を示す、信号。
【請求項１５】
送信用の符号化済みピクチャを送信単位のシーケンスに順序付けを行うモジュールであって、
前記符号化済みピクチャが、第１及び第２の符号化済みピクチャを含み、
前記モジュールは、前記第１の符号化済みピクチャに基づいて少なくとも第１の送信単位、及び前記第２の符号化済みピクチャに基づいて少なくとも第２の送信単位を形成する構成装置を備え、
前記モジュールは、前記第１の送信単位に対して第１の識別子、及び前記第２の送信単位に対して第２の識別子を定義するための定義装置を更に有し、
前記第１及び第２の識別子が、前記第１の送信単位に含まれる情報、及び前記第２の送信単位に含まれる情報のそれぞれの復号化順序を示す、モジュール。
【請求項１６】
前記構成装置が、前記第１の送信単位に第１のスライスを、前記第２の送信単位に第２のスライスを含むように構成される、請求項１５に記載のモジュール。
【請求項１７】
復号化のために、第１及び第２の符号化済みピクチャを含む符号化済みピクチャを送信単位のシーケンスに再順序化するモジュールであって、
少なくとも第１の送信単位が前記第１の符号化済みピクチャに基づいて形成され、
少なくとも第２の送信単位が前記第２の符号化済みピクチャに基づいて形成され、
前記モジュールは、前記第１の送信単位に対して定義された第１の識別子、及び前記第２の送信単位に対して定義された第２の識別子に基づいて、前記第１の送信単位に含まれる情報、及び前記第２の送信単位に含まれる情報の復号化順序を決定するプロセッサを備える、モジュール。
【請求項１８】
符号化済みピクチャの順序付けを行う方法であって、該符号化済みピクチャが、第１の符号化済みピクチャに基づいて形成される少なくとも第１の送信単位、及び第２の符号化済みピクチャに基づいて形成される少なくとも第２の送信単位で伝送された第１及び第２の符号化済みピクチャを含み、
第１の識別子が前記第１の送信単位に対して定義され、第２の識別子が前記第２の送信単位に対して定義され、
前記第１の送信単位に含まれる情報、及び前記第２の送信単位に含まれる情報の復号化順序が、第１および第２の識別子に基づいて決定される、方法。
【請求項１９】
第１の指標が、前記第１の送信単位から抽出され、第２の指標が、前記第２の送信単位から抽出され、
前記第１の識別子は、前記第１の指標に基づいて定義され、前記第２の識別子は、前記第２の指標に基づいて定義される、請求項１８に記載の方法。